(57)【要約】【課題】  簡単かつ低コストの構成にて適正な膨らみ形状を安定的に保持でき、着用中の呼吸や会話がし易く、美観にも優れたマスクを提供する。【解決手段】  マスク素材２に一対の横折り曲げ稜線６とそれらの間の谷折り線７とを形成して断面Ｍ字状に折り曲げ、両端をハ字状に切断するとともにその切断線８に沿って接着部３に接着して成り、かつ中央部に、一対の横折り曲げ稜線６、６間を略垂直に横断する一対の縦折り曲げ稜線１０及びそれらの両端からそれぞれマスク素材２の側端縁２ａまで延びるＹ字状折り曲げ稜線１１とそれらの間の谷折り線１２とを形成した。【選択図】        図１
2005348998.tif 000002
【特許請求の範囲】
【請求項１】
マスク素材に一対の横折り曲げ稜線とそれらの間の谷折り線とを形成して断面Ｍ字状に折り曲げ、両端をハ字状に切断するとともにその切断線に沿って接着して成り、かつ中央部に、一対の横折り曲げ稜線間を略垂直に横断する一対の縦折り曲げ稜線及びそれらの両端からそれぞれマスク素材の側端縁まで延びるＹ字状折り曲げ稜線とそれらの間の谷折り線とを形成したことを特徴とするマスク。
【請求項２】
一対の縦折り曲げ稜線及びＹ字状折り曲げ稜線とそれらの間の谷折り線にて中央部で断面Ｍ字状に折り畳んだ荷姿としたことを特徴とする請求項１記載のマスク。
【請求項３】
一方の横折り曲げ稜線とそれに一面で連続する側端縁との間の一方のマスク素材面に、切断線と横折り曲げ稜線の交点近傍と側端縁上で切断線から離間した位置とを結ぶ谷折り線を形成したことを特徴とする請求項２記載のマスク。
【発明の詳細な説明】
【技術分野】
【０００１】
本発明はマスクに関し、特に着用時の膨らみ形状の安定性が高く使用感に優れたマクスに関するものである。
【背景技術】
【０００２】
従来、成形にて作成されるマスク本体にプリーツ状の折り目を設けて折り畳み可能とするとともに、折り畳み状態で係止する係止部を設けた簡易防塵マスクは知られている（例えば、特許文献１参照。）。
【０００３】
また、所定幅のマスク素材に複数の折りひだ（プリーツ）を設けるとともに所要の長さ寸法で切断し、その両端の切断線に沿って溶着してマスク本体を構成したマスクにおいて、縦中央線で左右等分に折り畳み、その縦中央線と上縁とに斜めに接合線を形成して三角形状のつの片を設けることで、着用時にマスク本体の上縁中央に略Ｖ字状部が形成されるようにし、鼻もとから頬にかけての密着性が良好になるようにしたものも知られている（例えば、特許文献２参照。）。
【０００４】
また、所定幅のマスク素材に複数の折りひだ（プリーツ）を設けるとともに所要の長さ寸法で切断し、その両端の切断線に沿って溶着してマスク本体を構成したマスクにおいて、着用時のマスク本体の膨らみを保つ保持具をマスク本体の内側に固定したものも知られている（例えば、特許文献３参照。）。
【０００５】
また、図７に示すように、マスク素材２２を断面Ｍ字状に折り曲げ、両端をハ字状に切断するとともにその切断線に沿って接着部２３を形成してマスク本体２１を構成し、マスク本体２１の両端間に装着用弾性紐２４の両端を固着したマスク２０も知られている。このマスク２０は、図７に示すように、中央部におけるＭ字断面の谷部を前方に押し出すことによって、着用時の膨らみ形状２５を形成させるものである。
【特許文献１】実開平５−１８５４４号公報
【特許文献２】特開２００３−４７６６８号公報
【特許文献３】特開２００３−９３５２８号公報
【発明の開示】
【発明が解決しようとする課題】
【０００６】
ところが、特許文献１に開示された構成のマスクはそのマスク本体が成形にて作成されるものであるため、折り畳み状態で係止する必要があるように、形状保持性が高く、そのため着用時の膨らみ形状は安定的に保持できるが、それだけに折り畳み状態でも嵩張るという問題がある。
【０００７】
また、特許文献２に開示された構成のマスクは、シート状のマスク素材に折りひだを設けてその両端を溶着したものを２つ折りにしているので嵩張らないが、着用時に折りひだ部分を押し出して膨らみを形成してもその膨らみ形状の保持力が小さく、着用中にマスクフロントに唇が接触して呼吸や会話が困難になったり、口紅が付いたりし、さらにはマスクフロントが鼻や口を圧迫する恐れがあるという問題があり、また着用時の美観も良くないという問題がある。
【０００８】
また、特許文献３に開示された構成のマスクは、保持具によって膨らみ形状はある程度保持できるが、保持具が必要でかつ保持具の組み付け工程も必要になるため、コスト高になるという問題があり、また保持具を大きくしないと、口や鼻の周囲に所要の空間を形成できるような望ましい膨らみ形状を保持することができないという問題もある。
【０００９】
また、図７に開示したような構成のマスク２０においても、上記特許文献２に開示されたマスクと同様の問題がある。
【００１０】
本発明は、上記従来の問題点に鑑み、簡単かつ低コストの構成にて適正な膨らみ形状を安定的に保持でき、着用中の呼吸や会話がし易く、美観にも優れたマスクを提供することを課題とする。
【課題を解決するための手段】
【００１１】
本発明のマスクは、マスク素材に一対の横折り曲げ稜線とそれらの間の谷折り線とを形成して断面Ｍ字状に折り曲げ、両端をハ字状に切断するとともにその切断線に沿って接着して成り、かつ中央部に、一対の横折り曲げ稜線間を略垂直に横断する一対の縦折り曲げ稜線及びそれらの両端からそれぞれマスク素材の側端縁まで延びるＹ字状折り曲げ稜線とそれらの間の谷折り線とを形成したものである。
【００１２】
マスク素材としては、不織布、布、紙、軟質プラスチックシートなど、任意の素材を使用でき、また単一のシートに限らず、同一又は異質の複数枚のシートを重ねたり、フィルターを間に介装しても良い。例えば、ポリエステル繊維の不織布を３層〜５層重ねたものが好適である。
【００１３】
この構成によると、着用時にマスクの中央部を前方に押し出すと、一対の横折り曲げ稜線の中央部と一対の縦折り曲げ稜線にて囲まれた方形枠部が形成されるとともに、その四隅部が上下一対のＹ字状折り曲げ稜線と左右でそれぞれＶ字状に開く一対の横折り曲げ稜線の両端部にて支持された膨らみ形状を形成することができ、口や鼻の周囲に適正な膨らみ形状を安定的に保持でき、着用中にマスクフロントが鼻や口を圧迫したり、マスクフロントに唇が接触して呼吸や会話が困難になったり、口紅が付いたりする恐れがなく、さら着用時の美観も優れており、かつ折り曲げ稜線と谷折り線を形成するだけで保持具を取付けたりする必要がないので、簡単かつ低コストにて構成することができる。
【００１４】
また、一対の縦折り曲げ稜線及びＹ字状折り曲げ稜線とそれらの間の谷折り線にて中央部で断面Ｍ字状に折り畳んだ荷姿とすると、平面状に折り畳んだ荷姿にできて流通搬送時に嵩張らず、取扱いが容易で輸送コストの低廉化を図ることができ、しかも接着部のある両側を開くように引っ張ると、一対の縦折り曲げ稜線が離間するのに伴って横折り曲げ稜線の中央部が立ち上がって方形枠部が形成され、上記膨らみ形状がスムーズに形成されるので、使い勝手の良好なマスクを得ることができる。
【００１５】
また、一方の横折り曲げ稜線とそれに一面で連続する側端縁との間の一方のマスク素材面に、切断線と横折り曲げ稜線の交点近傍と側端縁上で切断線から離間した位置とを結ぶ谷折り線を形成すると、マスクの横幅寸法と膨らみ部の高さ寸法などの各部寸法を着用者の人種や年齢等に応じて任意に設定しても、一方のマスク素材面の両側部を谷折り線で折り曲げ、その上に他方のマスク素材面を平面状態で重ねることで、容易にほぼ完全に平面状に見栄え良く折り畳んだ荷姿にすることができる。
【発明の効果】
【００１６】
本発明によれば、着用時に、折り曲げ稜線にて囲まれた方形枠部が形成されかつその四隅部がＹ字状やＶ字状の折り曲げ稜線にて支持され、口や鼻の周囲に適正な膨らみ形状が安定的に保持されるので、着用中にマスクフロントが鼻や口を圧迫したり、マスクフロントに唇が接触して呼吸や会話が困難になったり、口紅が付いたりする恐れがなく、さら着用時の美観も優れ、しかも折り曲げ稜線を形成するだけで良いので簡単かつ低コストにて構成することができるという多大な効果が得られる。
【発明を実施するための最良の形態】
【００１７】
以下、本発明のマスクの一実施形態について、図１〜図６を参照して説明する。
【００１８】
図１において、１はマスクで、マスク素材２を図２に示すような展開形状に切断し、これを断面Ｍ字状に折り曲げた状態でその両側縁に設けた接着部３で接着し、両端部に頭の後ろに掛ける１本ないし複数本の装着用弾性紐４の両端を固着して構成されている。なお、装着用弾性紐４は両端部にそれぞれリング状に設けて耳に掛けるようにしても良い。
また図１に３０で示すものは、形状保持線材で、マスク素材２中に埋設されている。
【００１９】
マスク素材２としては、例えば、図３に示すようにポリエステル繊維の不織布５を複数層、好ましくは２〜５層、より好適には３〜４層程度積層して構成したものが用いられる。このマスク素材２を、図２に示すように、適当な幅２Ｗの帯状に形成し、その幅方向中央部に適当な間隔２Ｄをあけて一対の横折り曲げ稜線６を形成するとともにその間の中央に谷折り線７を形成し、これら横折り曲げ稜線６と谷折り線７で図４に示すように断面Ｍ字状に折り曲げ、その状態で適当な長さＬで適当な傾斜角αにてハ字状に切断し、その切断線８に沿って接着代９を形成し、この接着代９を熱溶着によって接着した接着部３にて一体的に接着されている。接着部３は、接着剤等で接着しても良いが、熱溶着による溶着部にて構成すると、接着性及び生産性が高いので好適である。
【００２０】
そして、図２に示すマスク１の展開状態の中央部において、一対の横折り曲げ稜線６、６間を略垂直に横断する一対の縦折り曲げ稜線１０、１０が適当間隔２Ｓをあけて形成され、それらの両端からそれぞれマスク素材２の側端縁まで延びるＹ字状折り曲げ稜線１１が形成され、さらに一対の縦折り曲げ稜線１０、１０間及びＹ字状折り曲げ稜線１１の中央に谷折り線１２が形成され、これら一対の縦折り曲げ稜線１０、１０及びＹ字状折り曲げ稜線１１と谷折り線１２にて、マスク１を横方向に断面Ｍ字状に折り畳み可能に構成されている。１３は、縦折り曲げ稜線１０の両端と谷折り線７の端とを結ぶように形成された谷折り線で、図４の状態から図１に示すように縦折り曲げ稜線１０を立ち上げた際及びマスク１を横方向に断面Ｍ字状に折り畳んだ際に折り曲げられる。
【００２１】
このマスク１の着用状態では、図１に示すように、一対の横折り曲げ稜線６、６の中央部と一対の縦折り曲げ稜線７、７にて方形枠部１４が形成されるとともに、その四隅部が上下のＹ字状折り曲げ稜線１１と左右のＶ字状に開く一対の横折り曲げ稜線６の両端部にて支持された状態になり、角形ドーム状の安定した膨らみ形状１５が形成される。また、マスク１の折り畳み時に、図１の着用状態から一対の縦折り曲げ稜線１０、１０及びＹ字状折り曲げ稜線１１と谷折り線１２にてマスク１を横方向に断面Ｍ字状に折り畳んで行くと、図５に示す状態を経て、図６に示すように、平面状に折り畳んだ荷姿となる。
【００２２】
また、マスク１を横方向に折り畳んで図６に示すように平面状に折り畳んだ状態とするため、図２及び図４に示すように、長さ寸法Ｌ、幅寸法Ｗ、谷折り部の深さ寸法Ｄ、Ｓ、及びハ字状の切断線８の傾斜角αなどに応じて、一方の横折り曲げ稜線６とそれに一面で連続する側端縁２ａとの間の一方のマスク素材面２Ａに、切断線８と横折り曲げ稜線６の交点近傍と側端縁２ａ上で切断線８から離間した位置１７とを結ぶ谷折り線１６を形成している。
【００２３】
マスク１の各部寸法は、着用者の人種や年齢層などに応じて適宜に設定される。また、それらの寸法関係においては、ＷとＤは、当然Ｗ＞Ｄである。また、ＤとＳは、Ｄ／Ｓ＝０．５〜１．５の範囲で任意に設定できるが、ほぼ同一にするのが好適である。また、ＬとＷとαは、Ｌ≧２Ｗ、４５°≦α＜９０°に設定するのが好適であり、谷折り線１６の傾斜角βは、α＜β＜９０°となる。
【００２４】
以上の実施形態によれば、着用時にマスク１の中央部を前方に押し出すと、一対の横折り曲げ稜線６の中央部と一対の縦折り曲げ稜線１０にて囲まれた方形枠部１４が形成されるとともに、その四隅部が上下一対のＹ字状折り曲げ稜線１１と左右でそれぞれＶ字状に開く一対の横折り曲げ稜線６の両端部にて支持された角形ドーム状の膨らみ形状１５が形成されるので、着用者の口や鼻の周囲に適正な膨らみ形状１５が安定的に保持され、着用中にマスクフロントが鼻や口を圧迫したり、マスクフロントに唇が接触して呼吸や会話が困難になったり、口紅が付いたりする恐れがなく、さら着用時の美観も優れているというが発揮される。
【００２５】
また、マスク１の流通時の荷姿として、一対の縦折り曲げ稜線１０及びＹ字状折り曲げ稜線１１とそれらの間の谷折り線１２にて中央部で断面Ｍ字状に折り畳んだ荷姿とすると、平面状に折り畳んだ荷姿にできて流通搬送時に嵩張らず、取扱いが容易で輸送コストの低廉化を図ることができる。しかも、着用時には、接着部３のある両側を開くように引っ張ると、図６の状態から図５の状態を介して図１に示すように、一対の縦折り曲げ稜線１０が離間するのに伴って横折り曲げ稜線６の中央部が立ち上がって方形枠部１４が形成され、上記膨らみ形状１５がスムーズに形成されるため使い勝手も良い。
【００２６】
また、一方のマスク素材面２Ａの両側部に谷折り線１３を形成することにより、マスク１の横幅寸法Ｌと膨らみ形状１５の高さ寸法などの各部寸法を着用者の人種や年齢等に応じて任意に設定しても、一方のマスク素材面２Ａの両側部を谷折り線１３で折り曲げ、その上に他方のマスク素材面２Ｂを平面状態で重ねることで、容易にほぼ完全に平面状に見栄え良く折り畳んだ荷姿にすることができる。
【００２７】
また、マスク１には、折り曲げ稜線６、１０と谷折り線７、１２を形成するだけで、別部材の保持具などを取付けたりする必要がないので、簡単な構成で、部品点数や製造工数が少なく、低コストにて製造することができる。
【００２８】
上記実施形態では、マスク１を横方向に折り畳むため、縦折り曲げ稜線１０やＹ字状折り曲げ稜線１１を直線状に形成した例を示したが、必ずしも直線に限定されるものではなく、曲線に形成しても良い。
【産業上の利用可能性】
【００２９】
本発明のマスクは、着用時に中央部に折り曲げ稜線にて囲まれた方形枠部が形成されかつその四隅部がＹ字状やＶ字状の折り曲げ稜線にて支持された膨らみ形状が形成されるので、口や鼻の周囲に適正な膨らみ形状を安定的に保持でき、着用中にマスクフロントが鼻や口を圧迫したり、マスクフロントに唇が接触して呼吸や会話が困難になったり、口紅が付いたりする恐れがなく、さら着用時の美観も優れ、しかも折り曲げ稜線を形成するだけで良いので簡単かつ低コストにて構成することができるので、医療用や一般用の各種使い捨てのマスクに有用である。
【図面の簡単な説明】
【００３０】
【図１】本発明の一実施形態のマスクの着用状態の斜視図である。
【図２】同実施形態のマスクの展開図である。
【図３】同実施形態のマスク素材の断面図である。
【図４】同実施形態のマスクの溶着時の状態の平面図である。
【図５】同実施形態のマスクの折り畳み途中の状態を示す斜視図である。
【図６】同実施形態のマスクの折り畳み状態の平面図である。
【図７】従来例のマスクの着用状態の斜視図である。
【符号の説明】
【００３１】
１  マスク
２  マスク素材
３  接着部（溶着部）
６  横折り曲げ稜線
７  谷折り線
８  切断線
１０  縦折り曲げ稜線
１１  Ｙ字状折り曲げ稜線
１２  谷折り線
１４  方形枠部
１５  膨らみ形状
１６  谷折り線
【図１】
2005348998.tif 000003
【図２】
2005348998.tif 000004
【図３】
2005348998.tif 000005
【図４】
2005348998.tif 000006
【図５】
2005348998.tif 000007
【図６】
2005348998.tif 000008
【図７】
2005348998.tif 000009